Podtech/llm-jp-corpus-v4-ja_patent huggingface dataset:
【手続補正書】
【提出日】平成23年11月9日(2011.11.9)
【手続補正１】
【補正対象書類名】明細書
【補正対象項目名】００８２
【補正方法】変更
【補正の内容】
【００８２】
入力手段の一形態として、本発明の情報処理装置のタッチパネルに、特開２００６−３４３５１４号公報に開示される画像取込み機能を備えた表示装置を用いることができる。
【手続補正書】
【提出日】平成23年1月26日(2011.1.26)
【手続補正１】
【補正対象書類名】特許請求の範囲
【補正対象項目名】全文
【補正方法】変更
【補正の内容】
【特許請求の範囲】
【請求項１】
有機溶剤を主たる構成成分とし、着色剤を含むソルベントインクを用いるインクジェットプリンタであって、
媒体に対して前記ソルベントインクを吐出するインクジェットヘッドと、
前記ソルベントインクが吐出された前記媒体に対してマイクロ波を照射し加熱乾燥するマイクロ波照射部と
を備えることを特徴とするインクジェットプリンタ。
【請求項２】
前記媒体として、剥離紙付き塩化ビニル系樹脂フィルムの媒体を用いる場合において、該加熱後に前記剥離紙を剥がした場合、塩化ビニル系樹脂フィルムの媒体が実質的にカール状に変形しない加熱乾燥処理条件とされていることを特徴とする請求項１に記載のインクジェットプリンタ。
【請求項３】
前記有機溶剤は、水に対して非相溶性の有機溶剤であることを特徴とする請求項１又は２に記載のインクジェットプリンタ。
【請求項４】
前記有機溶剤は、グリコールエーテル系化合物又はグリコールエステル系化合物であることを特徴とする請求項１から３のいずれかに記載のインクジェットプリンタ。
【請求項５】
有機溶剤を主たる構成成分とし、着色剤を含むソルベントインクを用いる印刷方法であって、
インクジェット方式により、媒体に対して前記ソルベントインクを吐出する吐出段階と、
前記ソルベントインクが吐出された前記媒体に対してマイクロ波を照射し加熱乾燥するマイクロ波照射段階とを備えることを特徴とする印刷方法。
【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
始動条件が成立した後に可変表示の開始条件が成立したことにもとづいて、各々を識別可能な複数種類の識別情報を可変表示する可変表示部を備え、前記可変表示部における識別情報の表示結果があらかじめ定められた特定表示結果となったときに、遊技者にとって有利な特定遊技状態に制御する遊技機であって、
駆動手段によって駆動される可動部材と、
可変表示の開始条件が成立したことにもとづいて、識別情報の可変表示が開始されてから表示結果が導出表示されるまでに一旦非特定表示結果となる識別情報を仮停止させた後に全ての識別情報について可変表示を再度実行する再変動を１回または複数回実行する再可変表示パターンを含むあらかじめ定められた複数種類の識別情報の可変表示パターンの中から１つの可変表示パターンを決定する可変表示パターン決定手段と、
前記可変表示パターン決定手段が決定した可変表示パターンにもとづいて、前記識別情報の可変表示を実行する可変表示制御手段と、
前記可変表示制御手段が前記再可変表示パターンにもとづいて前記識別情報の可変表示を実行することに対応して実行される再変動演出として、前記可動部材を使用して行われる第１再変動演出と、該第１再変動演出と異なる態様の第２再変動演出とを実行可能な再変動演出制御手段とを備えた
ことを特徴とする遊技機。
【手続補正２】
【補正対象書類名】明細書
【補正対象項目名】００１１
【補正方法】変更
【補正の内容】
【００１１】
始動条件（例えば、第１始動入賞口１３への遊技球の入賞や第２始動入賞口１４への遊技球の入賞）が成立した後に可変表示の開始条件が成立したことにもとづいて、各々を識別可能な複数種類の識別情報（例えば、演出図柄）を可変表示する可変表示部（例えば、演出表示装置９）を備え、可変表示部における識別情報の表示結果があらかじめ定められた特定表示結果（例えば、大当り図柄）となったときに、遊技者にとって有利な特定遊技状態（例えば、大当り遊技状態）に制御する遊技機であって、駆動手段によって駆動される可動部材と、可変表示の開始条件が成立したことにもとづいて、識別情報の可変表示が開始されてから表示結果が導出表示されるまでに一旦非特定表示結果となる識別情報を仮停止させた後に全ての識別情報について可変表示を再度実行する再変動を１回または複数回実行する再可変表示パターン（例えば、「擬似連」の演出を含む変動パターン）を含むあらかじめ定められた複数種類の識別情報の可変表示パターン（例えば、変動パターン）の中から１つの可変表示パターンを決定する可変表示パターン決定手段（例えば、遊技制御用マイクロコンピュータ５６０において、ステップＳ１０１〜Ｓ１０５の処理を実行する部分）と、可変表示パターン決定手段が決定した可変表示パターンにもとづいて、識別情報の可変表示を実行する可変表示制御手段（例えば、演出制御用マイクロコンピュータ１００において、ステップＳ５１８〜Ｓ５２１ステップおよびＳ８４１〜Ｓ８４５の処理を実行する部分）と、可変表示制御手段が再可変表示パターンにもとづいて識別情報の可変表示を実行することに対応して実行される再変動演出として、可動部材を使用して行われる第１再変動演出（例えば、図２７においてＢ１〜Ｂ３、Ｃ１〜Ｃ３で示される期間の演出、図２８および図２９において、ＢまたはＣで示される演出）と、第１再変動演出と異なる態様の第２再変動演出（例えば、図２７においてＡ１〜Ａ３で示される期間の演出、図２８および図２９において、Ａで示される演出）とを実行可能な再変動演出制御手段（例えば、演出制御用マイクロコンピュータ１００において、「擬似連」の演出を含む変動パターンにもとづいてステップＳ５１８〜Ｓ５２１およびステップＳ８４１〜Ｓ８４５の処理を実行する部分）とを備えたことを特徴とする。
【手続補正３】
【補正対象書類名】明細書
【補正対象項目名】００１２
【補正方法】変更
【補正の内容】
【００１２】
請求項１記載の発明では、遊技機を、可変表示制御手段が再可変表示パターンにもとづいて識別情報の可変表示を実行することに対応して実行される再変動演出として、可動部材を使用して行われる第１再変動演出と、該第１再変動演出と異なる態様の第２再変動演出とを実行可能な再変動演出制御手段を備えた構成にしたので、第１再変動演出および第２再変動演出によって再変動演出が実行されていることを遊技者に認識させることが可能である上に、複数種類の再変動演出によって再変動演出による演出効果を向上させることができる。
【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
表示状態が変化可能な複数の表示領域を有する可変表示部を含み、変動開始の条件の成立に応じて前記表示領域に表示される図柄の変動を開始し、図柄の表示結果として確定表示される最終停止図柄があらかじめ定められた特定表示態様となった場合に遊技者に有利な遊技状態に制御可能な遊技機であって、
遊技の進行を制御する遊技制御手段と、前記可変表示部の表示制御を行う表示制御手段とを備え、
前記遊技制御手段は、特定表示態様とするか否かを決定する特定表示態様決定手段と、前記可変表示部の表示内容を決定する表示内容決定手段と、前記表示内容決定手段の決定にもとづいて、図柄の変動開始から最終停止図柄を確定表示するまでの期間である図柄の変動期間を特定するための情報を出力可能なコマンド出力手段とを含み、
前記コマンド出力手段は、さらに、図柄の変動期間が経過したときに全図柄の停止を示すコマンドを出力し、
図柄の変動態様には、特定表示態様を表示する場合に最終停止図柄とは異なる仮停止図柄を表示しその後に最終停止図柄を表示することが可能な再変動が含まれ、再変動は、少なくとも第１の態様と第２の態様とを含み、前記第２の態様の期間は、その期間における移行図柄数に応じて定められ、
前記表示制御手段は、図柄の変動期間が同一であって前記第２の態様の期間が異なる複数の再変動を制御可能であり、前記全図柄の停止を示すコマンドが出力されたときに、前記最終停止図柄を停止表示させ、
図柄の変動態様には、前記第２の態様の期間は異なるが図柄の変動期間が同一である複数の態様が含まれる
ことを特徴とする遊技機。
【手続補正２】
【補正対象書類名】明細書
【補正対象項目名】０００９
【補正方法】変更
【補正の内容】
【０００９】
本発明による遊技機は、表示状態が変化可能な複数の表示領域を有する可変表示部を含み、変動開始の条件の成立に応じて表示領域に表示される図柄の変動を開始し、図柄の表示結果として確定表示される最終停止図柄があらかじめ定められた特定表示態様となった場合に遊技者に有利な遊技状態に制御可能な遊技機であって、遊技の進行を制御する遊技制御手段と、可変表示部の表示制御を行う表示制御手段とを備え、遊技制御手段は、特定表示態様とするか否かを決定する特定表示態様決定手段と、可変表示部の表示内容を決定する表示内容決定手段と、表示内容決定手段の決定にもとづいて、図柄の変動開始から最終停止図柄を確定表示するまでの期間である図柄の変動期間を特定するための情報を出力可能なコマンド出力手段とを含み、コマンド出力手段は、さらに、図柄の変動期間が経過したときに全図柄の停止を示すコマンドを出力し、図柄の変動態様には、特定表示態様を表示する場合に最終停止図柄とは異なる仮停止図柄を表示しその後に最終停止図柄を表示することが可能な再変動が含まれ、再変動は、少なくとも第１の態様と第２の態様とを含み、第２の態様の期間は、その期間における移行図柄数に応じて定められ、表示制御手段は、図柄の変動期間が同一であって第２の態様の期間が異なる複数の再変動を制御可能であり、全図柄の停止を示すコマンドが出力されたときに、最終停止図柄を停止表示させ、図柄の変動態様には、第２の態様の期間は異なるが図柄の変動期間が同一である複数の態様が含まれることを特徴とする。そのような構成によれば、図柄変動のパターンを増加しても表示制御手段に送出されるコマンド数が増えず、遊技制御手段の図柄表示に関する制御の負担を軽くすることができる効果がある。
【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
遊技者が所定の遊技を行うことが可能な遊技機であって、
遊技機に設けられた電気部品の制御を行うための電気部品制御手段と、
遊技媒体を検出するための遊技媒体検出手段と、
前記遊技媒体検出手段から出力される信号を含む前記電気部品制御手段の外部からの入力信号を検出可能な入力信号検出手段と、
遊技機への電力供給が停止していても記憶内容を所定期間保持可能な記憶手段と、
操作に応じて操作信号を出力する初期化操作手段とを備え、
前記電気部品制御手段は、
電力供給が開始されたときに、前記記憶手段に保持されている記憶内容にもとづいて遊技機への電力供給が停止される前の制御状態に復帰させる復帰制御を実行し、
電力供給が開始されたときに、前記初期化操作手段からの前記操作信号が入力されていれば前記記憶手段の記憶内容を初期化し、
所定期間毎に発生する割込信号の発生毎に実行する割込処理と、繰り返し連続して実行するメイン処理とを行い、
前記割込処理では、外部からの入力信号の入力状態を監視して、当該入力状態の結果を示す入力情報を記憶する入力情報記憶処理を実行し、
前記メイン処理では、前記入力情報記憶処理によって記憶された入力情報にもとづき前記電気部品の制御を行う制御処理を実行し、
前記初期化操作手段からの前記操作信号が入力されているか否かを、前記遊技媒体検出手段から出力される信号が有効と判定される判定期間よりも短い判定期間で判定する
ことを特徴とする遊技機。
【手続補正２】
【補正対象書類名】明細書
【補正対象項目名】００１２
【補正方法】変更
【補正の内容】
【００１２】
本発明による遊技機は、遊技者が所定の遊技を行うことが可能な遊技機であって、遊技機に設けられた電気部品（例えば、可変入賞球装置、球払出装置９７）の制御を行うための電気部品制御手段（例えば、ＣＰＵ５６、払出制御用ＣＰＵ３７１）と、遊技媒体を検出するための遊技媒体検出手段と、遊技媒体検出手段から出力される信号を含む電気部品制御手段の外部からの入力信号を検出可能な入力信号検出手段（例えば、入力ポート、およびＣＰＵ５６における入力ポートへの入力信号に関わる処理機能を有する部分によって構成される手段を意味する。他の基板についても同じ。）と、遊技機への電力供給が停止していても記憶内容を所定期間保持可能な記憶手段と、操作に応じて操作信号を出力する初期化操作手段とを備え、電気部品制御手段が、電力供給が開始されたときに、記憶手段に保持されている記憶内容にもとづいて遊技機への電力供給が停止される前の制御状態に復帰させる復帰制御を実行し、電力供給が開始されたときに、初期化操作手段からの操作信号が入力されていれば記憶手段の記憶内容を初期化し、所定期間毎に発生する割込信号の発生毎に実行する割込処理（例えば、タイマ割込処理）と、繰り返し連続して実行するメイン処理とを行い、割込処理では、外部からの入力信号の入力状態を監視して、当該入力状態の結果を示す入力情報を記憶する入力情報記憶処理（例えば、スイッチ入力処理）を実行し、メイン処理では、入力情報記憶処理によって記憶された入力情報にもとづき電気部品の制御（例えば、図２５に示す賞球処理にて、ステップＳ１５３、ステップＳ１５９、ステップＳ２２５、ステップＳ２３４、ステップＳ２２４での判定結果に応じて実行されるそれぞれの制御）を行う制御処理（例えば、遊技制御処理、払出制御処理）を実行し、初期化操作手段からの操作信号が入力されているか否かを、遊技媒体検出手段から出力される信号が有効と判定される判定期間よりも短い判定期間で判定することを特徴とする。
【手続補正３】
【補正対象書類名】明細書
【補正対象項目名】００１３
【補正方法】変更
【補正の内容】
【００１３】
本発明によれば、遊技機を、電気部品制御手段が、所定期間毎に発生する割込信号の発生毎に実行する割込処理と、繰り返し連続して実行するメイン処理とを行い、割込処理では、外部からの入力信号の入力状態を監視して、当該入力状態の結果を示す入力情報を記憶する入力情報記憶処理を実行し、メイン処理では、入力情報記憶処理によって記憶された入力情報にもとづき電気部品の制御を行う制御処理とを実行することを特徴とする構成としたので、一連の制御処理が終了しないうちに割込処理が開始されて入力情報が更新されたとしても、制御処理に未処理となる部分が残ることを防止することができ、一連の制御処理が完了しないことによってもたらされる不都合が解消されるという効果を有する。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
遊技者が所定の遊技を行い、遊技における特定条件の成立に応じて遊技者にとって有利な特定遊技状態に制御可能な遊技機であって、
遊技の進行を制御する遊技制御用マイクロコンピュータと、
前記遊技制御用マイクロコンピュータからのコマンドにもとづいて、遊技機に設けられている発光手段を、該発光手段に対して駆動信号を出力することによって制御する発光制御手段を備え、
前記遊技制御用マイクロコンピュータは、所定の処理を繰り返し実行するメインルーチンと、前記メインルーチン実行中の所定時間毎に発生するタイマ割込に応じて前記メインルーチンを中断して起動される割込ルーチンとを実行する実行手段を含み、
前記実行手段は、
前記メインルーチンおよび前記割込ルーチンにおいて、前記特定遊技状態とするか否かを決めるための特定遊技状態決定用数値の初期値を決定するための初期値用数値を更新する初期値用数値更新処理を実行し、
前記メインルーチンにおける前記初期値用数値更新処理を開始する前に前記タイマ割込による割込を禁止し、前記初期値用数値更新処理の完了後に前記タイマ割込による割込を許可し、
前記発光制御手段は、駆動信号出力のオン期間とオフ期間とを変化させることによって少なくとも一の発光手段の明るさを複数段階に変化させる明度変化制御を行う明度変化制御手段を含む
ことを特徴とする遊技機。
【手続補正２】
【補正対象書類名】明細書
【補正対象項目名】０００９
【補正方法】変更
【補正の内容】
【０００９】
本発明による遊技機は、遊技者が所定の遊技を行い、遊技における特定条件の成立（例えば大当り発生の条件の成立）に応じて遊技者にとって有利な特定遊技状態（例えば大当り遊技状態）に制御可能な遊技機であって、遊技の進行を制御する遊技制御用マイクロコンピュータと、遊技制御用マイクロコンピュータからのコマンドにもとづいて、遊技機に設けられている発光手段（遊技状態ランプ２８ｄや下部ランプ２８ｅ等）を、発光手段に対して駆動信号を出力することによって制御する発光制御手段（ランプ制御用ＣＰＵ３５１等）を備え、遊技制御用マイクロコンピュータは、所定の処理を繰り返し実行するメインルーチンと、メインルーチン実行中の所定時間毎に発生するタイマ割込に応じてメインルーチンを中断して起動される割込ルーチンとを実行する実行手段を含み、実行手段は、メインルーチンおよび割込ルーチンにおいて、特定遊技状態とするか否かを決めるための特定遊技状態決定用数値の初期値を決定するための初期値用数値を更新する初期値用数値更新処理を実行し、メインルーチンにおける初期値用数値更新処理を開始する前にタイマ割込による割込を禁止し、初期値用数値更新処理の完了後にタイマ割込による割込を許可し、発光制御手段が、駆動信号出力のオン期間とオフ期間とを変化させることによって少なくとも一の発光手段（例えば遊技状態ランプ２８ｄまたは下部ランプ２８ｅ）の明るさを複数段階に変化させる明度変化制御を行う明度変化制御手段（例えばランプ制御手段における点灯開始／消灯開始処理を実行する部分）を含み、明度変化制御手段が、複数段階のそれぞれの段階の明るさに応じた駆動信号出力のオン期間またはオフ期間に対応したデータが記憶された駆動信号パターンテーブルを参照して明度変化制御を行うことを特徴とする。
【手続補正３】
【補正対象書類名】明細書
【補正対象項目名】００１０
【補正方法】変更
【補正の内容】
【００１０】
本発明では、遊技機を、遊技制御用マイクロコンピュータからのコマンドにもとづいて、遊技機に設けられている発光手段を、発光手段に対して駆動信号を出力することによって制御する発光制御手段が、駆動信号出力のオン期間とオフ期間とを変化させることによって少なくとも一の発光手段の明るさを複数段階に変化させる明度変化制御を行う明度変化制御手段を含み、明度変化制御手段が、複数段階のそれぞれの段階の明るさに応じた駆動信号出力のオン期間またはオフ期間に対応したデータが記憶された駆動信号パターンテーブルを参照して明度変化制御を行うように構成にしたので、発光手段による遊技演出をさらに興趣に富んだものにすることができるとともに、遊技機の開発時等において発光手段による遊技演出の仕方を容易に調整することができる効果がある。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
遊技領域に設けられた入賞領域への遊技媒体の入賞にもとづいて景品としての遊技媒体を払い出すことが可能な遊技機であって、
遊技の進行を制御する遊技制御手段と、
遊技媒体の払い出しを行う払出手段と、
前記遊技制御手段からのコマンドにもとづいて前記払出手段の制御を行う払出制御手段と、
入賞領域への遊技媒体の入賞を検出する入賞検出手段と、
景品としての遊技媒体の払い出しを検出する払出検出手段と、
操作に応じて操作信号を出力する操作手段とを備え、
前記入賞検出手段からの検出信号は前記遊技制御手段に入力され、
前記払出検出手段からの検出信号は前記遊技制御手段に入力され、
前記遊技制御手段は、
遊技機への電力供給が停止しても所定期間は記憶されたデータを保持することが可能な遊技制御用変動データ記憶手段と、
遊技機への電力供給が開始されたときに、前記操作手段から前記操作信号が出力されていないことを条件に、前記遊技制御用変動データ記憶手段に保持されていた記憶内容にもとづいて、遊技機への電力供給が停止したときの遊技の進行状態を復旧させる復旧処理を行う復旧手段と、
遊技機への電力供給が開始されたときに、前記操作手段から前記操作信号が出力されているときには、前記遊技制御用変動データ記憶手段の記憶内容を初期化する初期化手段とを含み、
前記操作手段からの前記操作信号が出力されているか否かを、前記入賞検出手段から出力される検出信号が有効と判定される遊技媒体検出判定期間よりも短い判定期間で判定し、
前記入賞検出手段からの検出信号にもとづいて払い出されるべき遊技媒体数のうち、未だ払い出されていない未払出遊技媒体数を特定可能な未払出データを前記遊技制御用変動データ記憶手段に記憶し、
前記入賞検出手段からの検出信号にもとづいて前記未払出データを更新する処理と、前記払出検出手段からの検出信号にもとづいて前記未払出データを更新する処理とを行い、
前記未払出データにもとづいて、未払出遊技媒体数を表示する未払出数表示手段の制御を行う
ことを特徴とする遊技機。
【手続補正２】
【補正対象書類名】明細書
【補正対象項目名】０００７
【補正方法】変更
【補正の内容】
【０００７】
本発明による遊技機は、遊技領域に設けられた入賞領域（例えば入賞口２９，３０，３３，３９、可変入賞球装置１５および大入賞口）への遊技媒体の入賞にもとづいて景品としての遊技媒体を払い出すことが可能な遊技機であって、遊技の進行を制御する遊技制御手段（例えばＣＰＵ５６等）と、遊技媒体の払い出しを行う払出手段（例えば球払出装置９７）と、遊技制御手段からのコマンドにもとづいて払出手段の制御を行う払出制御手段（例えば払出制御用ＣＰＵ３７１）と、入賞領域への遊技媒体の入賞を検出する入賞検出手段（例えば入賞口スイッチ２９ａ，３０ａ，３３ａ，３９ａ、始動口スイッチ１４およびカウントスイッチ２３）と、景品としての遊技媒体の払い出しを検出する払出検出手段（例えば賞球カウントスイッチ３０１Ａ）と、操作に応じて操作信号を出力する操作手段とを備え、入賞検出手段からの検出信号が遊技制御手段に入力され、払出検出手段からの検出信号が遊技制御手段に入力され、遊技制御手段が、遊技機への電力供給が停止しても所定期間は記憶されたデータを保持することが可能な遊技制御用変動データ記憶手段と、遊技機への電力供給が開始されたときに、操作手段から操作信号が出力されていないことを条件に、遊技制御用変動データ記憶手段に保持されていた記憶内容にもとづいて、遊技機への電力供給が停止したときの遊技の進行状態を復旧させる復旧処理を行う復旧手段と、遊技機への電力供給が開始されたときに、操作手段から操作信号が出力されているときには、遊技制御用変動データ記憶手段の記憶内容を初期化する初期化手段とを含み、操作手段からの操作信号が出力されているか否かを、入賞検出手段から出力される検出信号が有効と判定される遊技媒体検出判定期間よりも短い判定期間で判定し、入賞検出手段からの検出信号にもとづいて払い出されるべき遊技媒体数のうち未だ払い出されていない未払出遊技媒体数を特定可能な未払出データ（例えば総賞球数バッファ）を遊技制御用変動データ記憶手段に記憶し、入賞検出手段からの検出信号にもとづいて未払出データを更新する処理と（例えばステップＳ２２７，Ｓ２３５，Ｓ２４６）、払出検出手段からの検出信号にもとづいて未払出データを更新する処理と（例えばステップＳ３８６）を行い、未払出データにもとづいて未払出遊技媒体数を表示する未払出数表示手段（例えば未払出賞球数表示器１００）の制御を行うことを特徴とする。
【手続補正３】
【補正対象書類名】明細書
【補正対象項目名】０００８
【補正方法】変更
【補正の内容】
【０００８】
本発明では、遊技機を、遊技制御手段が、入賞検出手段からの検出信号にもとづいて払い出されるべき遊技媒体数のうち未だ払い出されていない未払出遊技媒体数を特定可能な未払出データを遊技制御用変動データ記憶手段に記憶し、入賞検出手段からの検出信号にもとづいて未払出データを更新する処理と、払出検出手段からの検出信号にもとづいて未払出データを更新する処理とを行い、未払出データにもとづいて未払出遊技媒体数を表示する未払出数表示手段の制御を行うように構成したので、未払出数を容易に特定することができる効果がある。
【手続補正書】
【提出日】平成22年11月18日(2010.11.18)
【手続補正１】
【補正対象書類名】明細書
【補正対象項目名】全文
【補正方法】変更
【補正の内容】
【発明の詳細な説明】
【発明の名称】モーターの振動を身体に伝える器具
【技術分野】
【０００１】この発明は、健康を増進する器具に関する。
【背景技術】
【０００２】    特願２００８−１３０１３５として出願している。【特許文献１】特願２００８−１３０１３５
【発明の開示】
【発明が解決しようとする課題】
【０００３】    従来の器具は、モーターの回転運動を、ギヤーを使って直線運動に変える構造になっており、構造が複雑である。【０００４】   今回の発明品は、モーター軸に振子を取り付けてモーターの振動を増幅し、この振動を使用するもので、構造の簡単な器具の開発であった。【０００５】   本発明はより構造の簡単な器具の開発であった。
【課題を解決するための手段】
【０００６】   モーター軸に振子を付けて、モーターの振動を増幅し、その振動を、モーターを固定する為に覆った外箱に伝達し、外箱に数ｃｍの長さの突起をつけて、その突起の先端を足の裏にあてるようにした。
【発明の効果】
【０００７】   簡単な操作で、足裏の点部に振動を伝える事が出来た。【０００８】   年齢にかかわらず、尿道の血行を活発にする。【０００９】   いつでも、何時間でも、気持ちよく使用することが出来る。【００１０】   足の裏の按摩は、今まで経験したことのない、心地よさを与える。【００１１】   足の側面にもいい感じの按摩が行える。【００１２】乳ガン手術後の抗生物質の投与が、休みなく出来る。以下はふくらはぎの按摩を加えたもの。【００１３】婦人科の内膜炎が治った。【００１４】冷え症が治った。
【発明を実施するための最良の形態】
【００１５】   振子は、モーターの回転によって振子を取り付ける前に比べて大きな振動を起こすので、その振動を利用するため、１００V、２３W、回転数毎分２０００回転のモーター軸に、モーター軸より５ｃｍ離れた先に、重量１５ｇの重りを付け、低温熔解プラスチックで、モーターを外箱に固着し、直径１ｃｍ、長さ５ｃｍの棒とうを外箱に固着し、棒とうの先端を足の裏に当てるようにした。低温熔解プラスチックは、高温になって、柔らかくなると振動が伝わらないので、モーターの過熱が分かり過熱防止になる。
【図面の簡単な説明】
【００１６】
【図１】足裏振動器を上から見た図である。
【図２】足裏振動器を横から見た図である。
【符号の説明】
【００１７】   １ モーター   ２ 振子   ３ 突起   ４ モーターを外覆に固定する。低温熔解プラスチック   ５ 足を乗せる突起   ６ 外箱 
【手続補正３】
【補正対象書類名】特許請求の範囲
【補正対象項目名】請求項１
【補正方法】変更
【補正の内容】
【請求項１】
モーター軸に振子を付けて、モーターを動かしたときに起こる振動を増幅し、モーター外箱に付けた突起を通して身体にその振動を伝える器具において、突起の形状を、突起の先端から器具の外箱までの長さを２ｃｍ〜８ｃｍとし、突起の先端から２ｃｍの所での突起の横断面の面積を０．０４ｃｍ2〜２０ｃｍ2とするモーターの振動を突起によって身体に伝える器具。
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
タービンエンジン（１０）用のシール組立体（１００）であって、
弓形の内側リング部分（１１４）、弓形の外側リング部分（１２０）、及びそれらの間で延びるネック部分（１２８）を含むシールリング（１０２）と、
前記シールリング外側リング部分及びシールリングネック部分の少なくとも１つ内に形成された少なくとも１つの陥凹部であって、第１の孔及び第２の孔を含む少なくとも１つの陥凹部と、
前記シールリングを横切って弦方向に延びる付勢機構（２０８）であって、付勢機構の第１の端部が上記第１の孔の中に受け入れられ、付勢機構の第２の端部が上記第２の孔の中に受け入れられて、前記少なくとも１つの陥凹部内に保持される付勢機構（２０８）と
を含むシール組立体（１００）。
【請求項２】
前記陥凹部が、２つの側壁（２１４）を有する空洞（２１０）を含み、前記付勢機構（２０８）が、前記２つの側壁間で延びる、請求項１記載のシール組立体（１００）。
【請求項３】
前記付勢機構（２０８）が、ピン（２８０）、ネジ（３１４）、接着剤及びタック溶接の少なくとも１つによって前記空洞（２１０）内に保持される、請求項２記載のシール組立体（１００）。
【請求項４】
前記空洞（２１０）が、前記２つの側壁（２１４）の各々内に形成されたノッチ（２４０）をさらに含み、
各前記ノッチが、前記付勢機構が該ノッチ間に懸架されるように、該付勢機構（２０８）の端部（２１６、２２０）を受けるような寸法にされる、請求項２記載のシール組立体（１００）。
【請求項５】
前記付勢機構（２０８）が、各端部（２１６、２２０）から延びるタブ（２５０）を含み、各前記ノッチが、前記タブの１つを受けるような寸法にされる、請求項４記載のシール組立体（１００）。
【請求項６】
前記少なくとも１つの陥凹部が、その各々がそれらの間に前記付勢機構（２０８）を固定するためのネジ付きファスナをその中に受けるような寸法にされた１対のネジ孔を含む、請求項１記載のシール組立体（１００）。
【請求項７】
タービンエンジン（１０）であって、
該タービンエンジン内における蒸気漏洩を減少させるように構成されたシール組立体（１００）を含み、前記シール組立体が、
弓形の内側リング部分（１１４）、弓形の外側リング部分（１２０）、及びそれらの間で延びるネック部分（１２８）を含むシールリング（１０２）と、
前記シールリング外側リング部分及びシールリングネック部分の少なくとも１つ内に形成された少なくとも１つの陥凹部であって、第１の孔及び第２の孔を含む少なくとも１つの陥凹部と、
前記シールリングを横切って弦方向に延びる付勢機構（２０８）であって、付勢機構の第１の端部が上記第１の孔の中に受け入れられ、付勢機構の第２の端部が上記第２の孔の中に受け入れられて、前記少なくとも１つの陥凹部内に保持される付勢機構（２０８）と
を含む、タービンエンジン（１０）。
【請求項８】
前記陥凹部が、２つの側壁（２１４）を有する空洞（２１０）を含み、前記付勢機構が、前記２つの側壁間で延びる、請求項７記載のタービンエンジン（１０）。
【請求項９】
前記付勢機構（２０８）が、ピン（２８０）、ネジ（３１４）、接着剤及びタック溶接の少なくとも１つによって前記空洞（２１０）内に保持される、請求項８記載のタービンエンジン（１０）。
【請求項１０】
前記空洞（２１０）が、前記２つの側壁（２１４）の各々内に形成されたノッチ（２４０）をさらに含み、各前記ノッチが、前記付勢機構が該ノッチ間に懸架されるように、該付勢機構（２０８）の端部（２１６、２２０）を受けるような寸法にされる、請求項８記載のタービンエンジン（１０）。
【手続補正書】
【提出日】平成23年1月31日(2011.1.31)
【手続補正１】
【補正対象書類名】特許請求の範囲
【補正対象項目名】請求項１
【補正方法】変更
【補正の内容】
【請求項１】
励起光を発する光源を少なくとも１つ有する光源群と、
表面が前記光源群から発せられた励起光が照射されることにより励起されて蛍光発光する蛍光反射面とされ、その蛍光反射面に前記励起光が側面方向から入射されると共に、その入射した前記励起光と前記蛍光反射面で励起された発光光とを混色して照明光として照明対象側に反射するようになされた反射板と
を備えた照明装置。
【手続補正２】
【補正対象書類名】特許請求の範囲
【補正対象項目名】請求項１５
【補正方法】変更
【補正の内容】
【請求項１５】
照明装置と、前記照明装置からの照明光を表示用の光として用いて映像を表示する表示部とを備えた表示装置であって、
前記照明装置は、
それぞれが異なる色光を発する複数の光源を含む光源群と、
表面が蛍光反射面とされ、その蛍光反射面に前記光源群から発せられた各色光が側面方向から入射されると共に、その入射した前記各色光を混色して照明光として照明対象側に反射する反射板と
を有する表示装置。
【手続補正３】
【補正対象書類名】明細書
【補正対象項目名】００１０
【補正方法】変更
【補正の内容】
【００１０】
本発明の照明装置は、励起光を発する光源を少なくとも１つ有する光源群と、表面が光源群から発せられた励起光が照射されることにより励起されて蛍光発光する蛍光反射面とされ、その蛍光反射面に励起光が側面方向から入射されると共に、その入射した励起光と蛍光反射面で励起された発光光とを混色して照明光として照明対象側に反射するようになされた反射板とを備えたものである。
【手続補正４】
【補正対象書類名】明細書
【補正対象項目名】００１２
【補正方法】変更
【補正の内容】
【００１２】
本発明の照明装置または表示装置では、蛍光反射面に、光源群から発せられた励起光が側面方向から入射される。その入射した励起光と蛍光反射面で励起された発光光とが混色されて照明光として照明対象側に反射される。
【手続補正５】
【補正対象書類名】明細書
【補正対象項目名】００１４
【補正方法】変更
【補正の内容】
【００１４】
本発明の照明装置または表示装置によれば、蛍光反射面に、光源群から発せられた励起光を側面方向から入射し、その入射した励起光と蛍光反射面で励起された発光光とを混色して照明光として照明対象側に反射するようにしたので、光源自身の影を励起光照射側に作ることなく励起光を蛍光体に照射することができ、かつ光利用効率の高い蛍光発光を行うことができると共に、薄型化も可能となる。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
所定のデバイスにアクセスする所定のアプリケーションをワークエリア上で動作させる仮想マシンと、
前記所定のアプリケーションを用いた所定のデバイスへのアクセス要求を前記仮想マシンから検出する検出部と、
前記所定のアプリケーションの正当性を検証する検証部と、
前記仮想マシン、前記検証部及び前記検出部を管理し、前記ワークエリア上で動作する所定のアプリケーションを書き換え可能に管理する仮想マシンモニタと、を具備し、
前記検出部は前記アクセス要求を検出するとその旨を前記仮想マシンモニタに通知し、
前記仮想マシンモニタは前記ワークエリア上の前記所定のアプリケーションを書換え不可能なものと管理し直してその旨を前記検証部に通知し、
前記検証部は前記仮想マシンモニタからの通知を受けると前記所定のアプリケーションが正当であるか否かを判断し、
前記仮想マシンモニタは、前記ワークエリアに前記所定のアプリケーションに対応する管理情報を管理し、前記管理情報は前記管理情報を書換える権限を有する主体を示す特権情報を含み、前記所定のアプリケーションの書換え可能な主体が前記仮想マシンを含む旨を前記特権情報が示している場合、前記所定のアプリケーションの書換え可能な主体から前記仮想マシンを排除するように前記特権情報を書き換えることで、前記所定のアプリケーションを書換え不可能なものと管理する
ことを特徴とする情報処理装置。
【請求項２】
前記検証部が前記所定のアプリケーションが正当であると判断した場合、前記所定のアプリケーションを用いて所定のデバイスにアクセスする実行部を設けた
ことを特徴とする請求項１記載の情報処理装置。
【請求項３】
前記仮想マシンモニタは、前記実行部が前記所定のアプリケーションを用いた所定のデバイスへのアクセスを終了した後、前記前記のアプリケーションを書換え可能なものに管理を戻す
ことを特徴とする請求項２記載の情報処理装置。
【請求項４】
前記仮想マシンモニタは、前記所定のアプリケーションの書換え可能な主体を前記仮想マシン及び前記仮想マシンモニタを含む情報から、前記所定のアプリケーションの書換え可能な主体を前記仮想マシンモニタに制限する情報に前記特権情報を書き換えることで、前記所定のアプリケーションの書換え可能な主体から前記仮想マシンを排除する
ことを特徴とする請求項１記載の情報処理装置。
【請求項５】
前記検証部は、前記情報処理装置の外部装置に含まれる
ことを特徴とする請求項１記載の情報処理装置。
【請求項６】
前記実行部は、前記情報処理装置の外部装置に含まれる
ことを特徴とする請求項２記載の情報処理装置。
【請求項７】
前記所定のデバイスは、ＳＤカードである
ことを特徴とする請求項１記載の情報処理装置。
【請求項８】
前記所定のデバイスは、前記情報処理装置にコンテンツを提供する外部のコンテンツサーバである
ことを特徴とする請求項１記載の情報処理装置。
【請求項９】
所定のデバイスにアクセスする所定のアプリケーションをワークエリア上で動作させる仮想マシンと、
前記所定のアプリケーションを用いた所定のデバイスへのアクセス要求を前記仮想マシンから検出する検出部と、
前記所定のアプリケーションの正当性を検証する検証部と、
前記仮想マシン、前記検証部及び前記検出部を管理する仮想マシンモニタと、を具備した情報処理装置の制御方法であって、
前記検出部は前記アクセス要求を検出するとその旨を前記仮想マシンモニタに通知し、
前記仮想マシンモニタは前記ワークエリア上の前記所定のアプリケーションを書換え不可能なものと管理し直してその旨を前記検証部に通知し、
前記検証部は前記仮想マシンモニタからの通知を受けると前記所定のアプリケーションが正当であるか否かを判断し、
前記仮想マシンモニタは、前記ワークエリアに前記所定のアプリケーションに対応する管理情報を管理し、前記管理情報は前記管理情報を書換える権限を有する主体を示す特権情報を含み、前記所定のアプリケーションの書換え可能な主体が前記仮想マシンを含む旨を前記特権情報が示している場合、前記所定のアプリケーションの書換え可能な主体から前記仮想マシンを排除するように前記特権情報を書き換えることで、前記所定のアプリケーションを書換え不可能なものと管理する
ことを特徴とする制御方法。
【請求項１０】
所定のデバイスにアクセスする所定のアプリケーションをワークエリア上で動作させる仮想マシンと、
前記所定のアプリケーションを用いた所定のデバイスへのアクセス要求を前記仮想マシンから検出する検出部と、
前記所定のアプリケーションの正当性を検証する検証部と、
前記仮想マシン、前記検証部及び前記検出部を管理する仮想マシンモニタと、を具備した情報処理装置の制御プログラムであって、
前記検出部が前記アクセス要求を検出すると、その旨を前記仮想マシンモニタに通知するステップと、
前記仮想マシンモニタに、前記ワークエリア上の前記所定のアプリケーションを書換え不可能なものと管理し直させ、その旨を前記検証部に通知させるステップと、
前記仮想マシンモニタからの通知を受けた前記検証部に、前記所定のアプリケーションが正当であるか否かを判断させるステップとを含み、
前記仮想マシンモニタは、前記ワークエリアに前記所定のアプリケーションに対応する管理情報を管理し、前記管理情報は前記管理情報を書換える権限を有する主体を示す特権情報を含み、前記所定のアプリケーションの書換え可能な主体が前記仮想マシンを含む旨を前記特権情報が示している場合、前記所定のアプリケーションの書換え可能な主体から前記仮想マシンを排除するように前記特権情報を書き換えることで、前記所定のアプリケーションを書換え不可能なものと管理する
ことを特徴とする制御プログラム。
【請求項１１】
情報処理装置に用いられる集積回路であって、
所定のデバイスにアクセスする所定のアプリケーションをワークエリア上で動作させる仮想マシンと、
前記所定のアプリケーションを用いた所定のデバイスへのアクセス要求を前記仮想マシンから検出する検出部と、
前記所定のアプリケーションの正当性を検証する検証部と、
前記仮想マシン、前記検証部及び前記検出部を管理する仮想マシンモニタと、を具備し、
前記検出部は前記アクセス要求を検出するとその旨を前記仮想マシンモニタに通知し、
前記仮想マシンモニタは前記ワークエリア上の前記所定のアプリケーションを書換え不可能なものと管理し直してその旨を前記検証部に通知し、
前記検証部は前記仮想マシンモニタからの通知を受けると前記所定のアプリケーションが正当であるか否かを判断し、
前記仮想マシンモニタは、前記ワークエリアに前記所定のアプリケーションに対応する管理情報を管理し、前記管理情報は前記管理情報を書換える権限を有する主体を示す特権情報を含み、前記所定のアプリケーションの書換え可能な主体が前記仮想マシンを含む旨を前記特権情報が示している場合、前記所定のアプリケーションの書換え可能な主体から前記仮想マシンを排除するように前記特権情報を書き換えることで、前記所定のアプリケーションを書換え不可能なものと管理する
ことを特徴とする集積回路。
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
出力トランジスタの出力する電圧を分圧した参照電圧と基準電圧の差を増幅して出力し、前記出力トランジスタのゲートを制御する差動増幅回路を備えたボルテージレギュレータであって、
前記差動増幅回路の動作電流を供給する電流源と、
前記出力トランジスタに流れる電流に基づいた電流を出力する出力電流検出回路と、
前記出力電流検出回路の出力電流に基づいて、前記差動増幅回路の動作電流を変化させる電流ミラー回路を有し、
前記電流ミラー回路は、前記参照電圧と前記基準電圧の差の絶対値が一定値以上になったことを検出すると、所定の遅延時間を経て前記差動増幅回路の動作電流を変化させることを特徴とするボルテージレギュレータ。
【請求項２】
出力トランジスタの出力する電圧を分圧した参照電圧と基準電圧の差を増幅して出力し、前記出力トランジスタのゲートを制御する差動増幅回路を備え、通常動作状態と、低消費で動作する待機動作状態を有するボルテージレギュレータであって、
前記出力トランジスタに流れる電流に基づいた電流を出力する出力電流検出回路と、
前記出力電流検出回路の出力電流に基づいて、前記差動増幅回路の動作電流を変化させる電流ミラー回路を有し、
前記電流ミラー回路は、前記待機動作状態から前記通常動作状態への状態遷移を検出すると、所定の遅延時間を経て前記差動増幅回路の動作電流を変化させることを特徴とするボルテージレギュレータ。
【請求項３】
前記電流ミラー回路は、スイッチトカレント回路を備えたことを特徴とする請求項１または２に記載のボルテージレギュレータ。
【請求項４】
前記電流ミラー回路の前記遅延は、前記出力電流の単位時間当たりの変動率に対して、前記差動増幅回路の動作電流の単位時間当たりの変動率を小さくすることで実現することを特徴とする請求項１または２に記載のボルテージレギュレータ。
【手続補正２】
【補正対象書類名】明細書
【補正対象項目名】０００７
【補正方法】変更
【補正の内容】
【０００７】
入出力電圧差の小さい、所謂ＬＤＯと呼ばれるボルテージレギュレータにおいては、入出力電圧差を小さくすることに適しているP型のＭＯＳトランジスタを出力ドライバとして使用している。ここで、動作に必要な最低の入出力電圧差は、出力ドライバのＯＮ抵抗にほぼ比例する。このため、同一プロセスにおいてより入出力を小さくするためには出力ドライバのＷ長を大きくしなければならない。このことはすなわちゲート面積の増大を意味する。
【手続補正３】
【補正対象書類名】明細書
【補正対象項目名】００２１
【補正方法】変更
【補正の内容】
【００２１】
ここで、電流ミラー回路１０６は、ボルテージレギュレータの動作状態によって、出力電流検出回路１０５の出力電流が変化してから、差動増幅回路１０２の動作電流を変化させる動作に遅延を設ける機能を備えている。従って、急激な出力電流の増大などの過渡応答時においては、電流ミラー回路１０６の効果により、参照電圧VFBの変化の帰還による回路内部動作点の変動が先行し、その後に出力電流の増大による差動増幅回路の動作電流の増大がおこる。そのため、この電流の帰還による動作点の変動は前記参照電圧VFBの帰還による動作点の変動よりも遅く、もしくは緩やかに起こるため、双方の帰還系の動作点が同時に動くことに起因する、各々の帰還系の相互作用による動作不安定を抑制することが可能となる。
【手続補正４】
【補正対象書類名】明細書
【補正対象項目名】００５０
【補正方法】変更
【補正の内容】
【００５０】
以上のような第２の実施例のボルテージレギュレータは、電流ミラー回路４０６の動作により、待機状態から動作状態に移行するときの参照電圧VFBの帰還系による動作点の変動に対して、出力電流の増加による動作点の変動は緩やかとなり、結果として双方の帰還系の動作点が同時に動くことに起因する、各々の帰還系の相互作用による動作不安定を抑制することが可能となる。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
プリンタドライバを有する画像処理装置であって、
前記プリンタドライバを用いて、アプリケーションが作成したアプリデータに基づくビットマップデータを生成する生成手段と、
前記アプリデータに含まれる情報であって、当該アプリデータに基づいて前記生成手段により生成されるビットマップデータには含まれない情報を取得する取得手段と、
前記取得手段が取得した情報を、前記生成手段により生成されるビットマップデータの付加情報として、当該ビットマップデータに付加する付加手段と、
前記付加手段により前記付加情報が付加されたビットマップデータを、プリンタに対して出力する出力手段と、
を備えることを特徴とする画像処理装置。
【請求項２】
前記付加情報は、前記アプリデータに含まれる文字コードの少なくとも一部であることを特徴とする請求項１に記載の画像処理装置。
【請求項３】
前記付加情報は、前記アプリデータを生成したアプリケーションに関する情報であることを特徴とする請求項１に記載の画像処理装置。
【請求項４】
前記付加情報は、前記アプリデータに含まれる少なくとも一部のオブジェクトの属性情報であることを特徴とする請求項１に記載の画像処理装置。
【請求項５】
前記ビットマップデータを保存する処理を前記プリンタに依頼する場合は、前記付加情報が付加されたビットマップデータを前記出力手段に出力させ、前記ビットマップデータを印刷する処理を前記プリンタに依頼する場合は、前記付加情報が付加されていないビットマップデータを前記出力手段に出力させる制御手段を更に備えることを特徴とする請求項１乃至４のいずれか１項に記載の画像処理装置。
【請求項６】
プリンタドライバを有する画像処理装置の制御方法であって、
前記プリンタドライバを用いて、アプリケーションが作成したアプリデータに基づくビットマップデータを生成する生成工程と、
前記アプリデータに含まれる情報であって、当該アプリデータに基づいて前記生成工程で生成されるビットマップデータには含まれない情報を取得する取得工程と、
前記取得工程で取得した情報を、前記生成工程で生成されるビットマップデータの付加情報として、当該ビットマップデータに付加する付加工程と、
前記付加工程で前記付加情報が付加されたビットマップデータを、プリンタに対して出力する出力工程と、
を備えることを特徴とする画像処理装置の制御方法。
【請求項７】
前記付加情報は、前記アプリデータに含まれる文字コードの少なくとも一部であることを特徴とする請求項６に記載の画像処理装置の制御方法。
【請求項８】
前記付加情報は、前記アプリデータを生成したアプリケーションに関する情報であることを特徴とする請求項６に記載の画像処理装置の制御方法。
【請求項９】
前記付加情報は、前記アプリデータに含まれる少なくとも一部のオブジェクトの属性情報であることを特徴とする請求項６に記載の画像処理装置の制御方法。
【請求項１０】
ビットマップデータを保存する処理を前記プリンタに依頼する場合は、前記付加情報が付加されたビットマップデータを前記出力工程で出力させ、ビットマップデータを印刷する処理を前記プリンタに依頼する場合は、前記付加情報が付加されていないビットマップデータを前記出力工程で出力させる制御工程を更に備えることを特徴とする請求項６乃至９のいずれか１項に記載の画像処理装置の制御方法。
【請求項１１】
請求項６から１０のいずれか１項に記載の制御方法をコンピュータに実行させるためのプログラム。
【請求項１２】
請求項６から１０のいずれか１項に記載の制御方法をコンピュータに実行させるためのプログラムを記憶したコンピュータ読み取り可能な記憶媒体。
【手続補正２】
【補正対象書類名】明細書
【補正対象項目名】０００１
【補正方法】変更
【補正の内容】
【０００１】
本発明は、アプリケーションで作成したアプリデータに基づくビットマップデータを生成する画像処理装置及びその制御方法、プログラム、記憶媒体に関するものである。
【手続補正３】
【補正対象書類名】明細書
【補正対象項目名】０００６
【補正方法】変更
【補正の内容】
【０００６】
本願発明の特徴は、アプリケーションが作成したアプリデータに含まれる情報であって、当該アプリデータに基づいて生成されるビットマップデータには含まれない情報を利用できるようにすることにある。
【手続補正４】
【補正対象書類名】明細書
【補正対象項目名】０００７
【補正方法】変更
【補正の内容】
【０００７】
上記目的を達成するために本発明の一態様に係る画像処理装置は以下のような構成を備える。即ち、
プリンタドライバを有する画像処理装置であって、
前記プリンタドライバを用いて、アプリケーションが作成したアプリデータに基づくビットマップデータを生成する生成手段と、
前記アプリデータに含まれる情報であって、当該アプリデータに基づいて前記生成手段により生成されるビットマップデータには含まれない情報を取得する取得手段と、
前記取得手段が取得した情報を、前記生成手段により生成されるビットマップデータの付加情報として、当該ビットマップデータに付加する付加手段と、
前記付加手段により前記付加情報が付加されたビットマップデータを、プリンタに対して出力する出力手段と、を備えることを特徴とする。
【手続補正５】
【補正対象書類名】明細書
【補正対象項目名】０００８
【補正方法】変更
【補正の内容】
【０００８】
上記目的を達成するために本発明の一態様に係る画像処理装置の制御方法は以下のような工程を備える。即ち、
プリンタドライバを有する画像処理装置の制御方法であって、
前記プリンタドライバを用いて、アプリケーションが作成したアプリデータに基づくビットマップデータを生成する生成工程と、
前記アプリデータに含まれる情報であって、当該アプリデータに基づいて前記生成工程で生成されるビットマップデータには含まれない情報を取得する取得工程と、
前記取得工程で取得した情報を、前記生成工程で生成されるビットマップデータの付加情報として、当該ビットマップデータに付加する付加工程と、
前記付加工程で前記付加情報が付加されたビットマップデータを、プリンタに対して出力する出力工程と、を備えることを特徴とする。
【手続補正６】
【補正対象書類名】明細書
【補正対象項目名】０００９
【補正方法】変更
【補正の内容】
【０００９】
本願発明によれば、アプリケーションが作成したアプリデータに含まれる情報であって、当該アプリデータに基づいて生成されるビットマップデータには含まれない情報を利用することができるようになる。
【手続補正７】
【補正対象書類名】明細書
【補正対象項目名】００６６
【補正方法】変更
【補正の内容】
【００６６】
まずドキュメントヘッダ１２０３からベクタデータのページデータを順次取得し、ページヘッダ１２０４にリンクされているサマリ情報１３０１から属性「TEXT」にリンクされているメタデータ１３０５を検索する。
【手続補正８】
【補正対象書類名】明細書
【補正対象項目名】００６７
【補正方法】変更
【補正の内容】
【００６７】
図１４（Ａ）（Ｂ）は、例えば図１２で説明したデータ構造が、メモリ或はファイルにどのように配置されるのかを示す図である。
【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
第１基板と、第２基板と、該第１基板と該第２基板との間に設けられた枠とを備え、前記第１基板と前記第２基板と前記枠とで囲まれた内部空間を有する、気密容器であって、
前記枠と前記第１基板との間に設けられた、（Ａ）前記枠と前記第１基板とが接合された第１接合部と、（Ｂ）前記第１接合部よりも前記内部空間側に位置し、前記枠と前記第１基板とが当接した第１当接部と、
前記枠と前記第２基板との間に設けられた、（Ｃ）前記枠と前記第２基板とが接合された第２接合部と、（Ｄ）前記第２接合部よりも前記内部空間側に位置し、前記枠と前記第２基板とが当接した第２当接部と、を備えており、
前記第２接合部の内部空間側の端部が、前記第１接合部の内部空間側の端部よりも、内部空間側に位置していることを特徴とする気密容器。
【請求項２】
前記内部空間が、大気圧よりも低い圧力に維持されていることを特徴とする請求項１に記載の気密容器。
【請求項３】
前記第１接合部は、前記第１基板と前記枠とを封着材によって封着した部分であり、前記第２接合部は、前記第２基板と前記枠とを封着材によって封着した部分であることを特徴とする請求項１または２に記載の気密容器。
【請求項４】
前記第２接合部の外部空間側の端部が、前記第１接合部の外部空間側の端部よりも、外部空間側に位置していることを特徴とする請求項１乃至３のいずれか１項に記載の気密容器。
【請求項５】
少なくとも、気密容器と、該気密容器の内部に設けられた電子放出素子および発光体と、を備えた画像表示装置であって、前記気密容器が請求項１乃至４のいずれか１項に記載の気密容器であることを特徴とする画像表示装置。
【手続補正２】
【補正対象書類名】明細書
【補正対象項目名】００１２
【補正方法】変更
【補正の内容】
【００１２】
上記課題を解決するため、本発明の気密容器は、  第１基板と、第２基板と、該第１基板と該第２基板との間に設けられた枠とを備え、前記第１基板と前記第２基板と前記枠とで囲まれた内部空間を有する、気密容器であって、
前記枠と前記第１基板との間に設けられた、（Ａ）前記枠と前記第１基板とが接合された第１接合部と、（Ｂ）前記第１接合部よりも前記内部空間側に位置し、前記枠と前記第１基板とが当接した第１当接部と、
前記枠と前記第２基板との間に設けられた、（Ｃ）前記枠と前記第２基板とが接合された第２接合部と、（Ｄ）前記第２接合部よりも前記内部空間側に位置し、前記枠と前記第２基板とが当接した第２当接部と、を備えており、
前記第２接合部の内部空間側の端部が、前記第１接合部の内部空間側の端部よりも、内部空間側に位置していることを特徴とする。